(57)【特許請求の範囲】
【請求項１】
アンテナから受信した信号を選択するチューナ回路と、該チューナ回路へ同調信号を供給するＰＬＬ（位相ロックループ）回路とを有し、前記チューナ回路から希望放送局の受信時に発生されるＳＤ信号を検出するＳＤ検出回路と、前記チューナ回路からＩＦ信号を受けてＩＦ周波数データをカウントするＩＦカウント回路と、前記ＳＤ検出回路からの前記ＳＤ信号と前記ＩＦカウント回路からのカウント値に基いて選局状態を判定して選局動作を制御する制御回路とを備え、オート又はマニュアルチューニング選局動作を行う受信機において、
前記チューナ回路が前記オート又はマニュアルチューニング選局動作を行い、前記ＳＤ信号を検出し放送局を受信したときに、前記ＳＤ検出回路を介して供給される前記ＳＤ信号の有無を判定して前記ＳＤ信号が連続か否かを更に判定し、連続でない場合には、前記チューナ回路からのＩＦ周波数データを前記ＩＦカウント回路で所定時間、カウントを行い、
このカウント値に基づいて選局状態が正常でないと判定された場合には、前記チューナ回路からのＩＦ周波数データを前記ＩＦカウント回路で更にカウントを行い、
所定回数のカウントを行っても選局状態が正常でないと判定された場合には、前記ＩＦカウント回路でのカウントを終了することを特徴とする受信機。
【請求項２】
前記制御回路は、制御プログラムを格納するＲＯＭ（読み出し専用メモリ）および外部とのインタフェースを行うＩ／Ｏ回路を含むマイコンであることを特徴とする請求項１に記載の受信機。
【請求項３】
前記Ｉ／Ｏ回路には、キーおよび同調状態（ＴＵＮＥＤ）を表示する表示器が接続されることを特徴とする請求項２に記載の受信機。
【発明の詳細な説明】
【０００１】
【発明の属する技術分野】
本発明は受信機に関し、特に放送電波をサーチして希望放送局にチューニング（同調）させるオートチューニングおよびマニュアルチューニング機能を備えるラジオ等の受信機に関する。
【０００２】
【従来の技術】
受信機により希望放送局からの放送電波を受信するための選局装置を有する。この選局装置は、インダクタ（Ｌ）およびキャパシタ（Ｃ）によるＬＣタンク（共振）回路を有し、キャパシタ（又はインダクタ）を可変することにより、その共振周波数を可変して希望放送局の周波数にチューニングして選局する。斯かる受信機により選局する場合には、自動的に放送（周波数）電波を捕捉するオートチューニング方式と、手動にて捕捉周波数を増減させるマニュアルチューニング方式がある。オート又はマニュアルチューニングにより、選局装置の共振周波数を連続的に変化（スキャン）する。そして、希望放送局の受信時にＭ変換処理に基づいて発生されるＳＤ信号により、選局表示（ＴＵＮＥＤ）素子が点灯するのを確認した後に、周波数のスキャン（変化）を中止させる。このとき、ＳＤ信号の有無を確認し、「有」ならばＩＦカウントを行う。ＩＦ周波数を確認した後に、出力ミュート（無音状態）を解除して放送を受信する。
【０００３】
希望放送局を選局したまま電波障害又は放送の中断等で希望放送局の電波が弱くなりＳＤ信号が「無」となり、次に電波が強くなりＳＤ信号が「有」となる場合があり得る。この場合には、ＩＦカウントを行い、ＩＦ周波数を確認した後に出力ミュートを解除して放送を受信する。
【０００４】
【発明が解決しようとする課題】
受信機が希望放送局を選局した後に、電波が弱くなり選局表示（ＴＵＮＥＤ）素子の点灯レベルがスレシュホールド（閾値）付近のとき、ＳＤ信号が「無」から「有」になると、ＩＦカウントを行う。そして、ＩＦ周波数を確認した後に選局表示（ＴＵＮＥＤ）素子を点灯する。同時に、ＩＦカウント中に出力へのノイズ防止のために、出力ミュートがかけられ、選局表示（ＴＵＮＥＤ）素子が点灯した後に出力ミュートを解除している。また、このＳＤ信号が「有」から「無」、「無」から「有」と連続で繰り返して行なわれると、上述したノイズ防止のために出力ミュートがかけられ、出力が出ない状態又は出力が断続する状態になり、出力ミュートがなかなか解除されないという課題があった。
【０００５】
そこで、従来技術では、ＳＤ信号のチャタリングを遅延させるため、システムＩＣおよびマイコンポート間に積分回路を挿入していた。しかし、この積分回路の時定数を大きくすると、オートチューニング動作中に周波数スキャン時間に近づき、選局動作できず、捕捉周波数を飛び越してしまうこととなる。
【０００６】
マイコンプログラムでは、選局動作後に、電波の強弱によりＳＤ信号が「無」から「有」となってもＩＦカウントを行わないで、ＳＤ信号の「有」から「無」、「無」から「有」と連続して変化しても選局表示（ＴＵＮＥＤ）素子を点灯から消灯、消灯から点灯へ追従させるようにする。また、放送局が電波の送出を中止し、再放送する前に受信機の電源を導通させた場合に、選局動作は最初の１回行なわれ、選局表示（ＴＵＮＥＤ）素子を消灯にした後に、もしも電波が強くなっても選局表示（ＴＵＮＥＤ）素子は消灯したままとなる。
【０００７】
【発明の目的】
本発明の目的は、従来技術の上述した課題を解決し、ＳＤ信号のチャタリングにより出力ミュートが解除されず故障と誤認されるのを回避する受信機を提供することである。
【０００８】
【課題を解決するための手段】
本発明の受信機は、アンテナから受信した信号を選択するチューナ回路と、該チューナ回路へ同調信号を供給するＰＬＬ（位相ロックループ）回路とを有し、前記チューナ回路から希望放送局の受信時に発生されるＳＤ信号を検出するＳＤ検出回路と、前記チューナ回路からＩＦ信号を受けてＩＦ周波数データをカウントするＩＦカウント回路と、前記ＳＤ検出回路からの前記ＳＤ信号と前記ＩＦカウント回路からのカウント値に基いて選局状態を判定して選局動作を制御する制御回路とを備え、オート又はマニュアルチューニング選局動作を行う受信機において、
前記チューナ回路が前記オート又はマニュアルチューニング選局動作を行い、前記ＳＤ信号を検出し放送局を受信したとき、前記ＳＤ検出回路を介して供給される前記ＳＤ信号の有無を判定して前記ＳＤ信号が連続か否かを更に判定し、
連続でない場合には、前記チューナ回路からのＩＦ周波数データを前記ＩＦカウント回路で所定時間、カウントを行い、
このカウント値に基づいて選局状態が正常でないと判定された場合には、前記チューナ回路からのＩＦ周波数データを前期ＩＦカウント回路でさらにカウントを行い、
所定回数のカウントを行っても選局状態が正常でないと判定された場合には、
前記ＩＦカウント回路でのカウントを終了する。
【０００９】
また、本発明の受信機の好適実施形態によると、制御回路は、制御プログラムを格納するＲＯＭ（読み出し専用メモリ）および外部とのインタフェースを行うＩ／Ｏ回路を含む。Ｉ／Ｏ回路には、キーおよび同調状態（ＴＵＮＥＤ）を表示する表示器が接続される。
【００１０】
【発明の実施の形態】
以下、本発明による受信機の好適実施形態の構成および動作を、添付図面を参照して詳細に説明する。
【００１１】
先ず、図１は、本発明による受信機の好適実施形態の構成を示すブロック図である。この受信機は、制御部であるマイコン１、キー（ＫＥＹ）２、表示器３、ＰＬＬ（位相ロックループ）回路４、チューナ回路５、アンテナ６およびＳＤ検出回路７により構成される。ここで、マイコン１は、プロセッサ（図示せず）と共にＲＯＭ（読み出し専用メモリ）１１およびＩ／Ｏ（入出力インタフェース）回路１２を含んでいる。また、ＰＬＬ回路４は、ＩＦカウント回路４１を含んでいる。
【００１２】
マイコン１には、キー２からの指示情報が入力され、チューナ回路５による選局状態がマイコン１を介して表示器３に表示される。マイコン１は、当業者には周知の構成であり、ＲＯＭ１１に、所定動作処理を指示するプログラムを格納する。Ｉ／Ｏ回路１２は、マイコン１とキー２および表示器３との信号の授受を行う。ＰＬＬ回路４は、マイコン１からのデータ信号（捕捉周波数）、クロック信号、ラッチ信号等を受け、所定のＰＬＬ動作を行い、チューナ回路５に同調信号（電圧）Ｖｔ等を送出する。
【００１３】
一方、チューナ回路５からは、ＩＦ（中間周波数）信号がＰＬＬ回路４に、またＳＤ検出回路７を介してＳＤ信号がマイコン１に供給される。マイコン１は、このＳＤ信号を受けると、ＰＬＬ回路４のＩＦカウント回路４１にＩＦカウント開始データを送出する。ＰＬＬ回路４に設けられたＩＦカウント回路４１からＩＦ周波数データについてのカウント動作が終了すると、マイコン１は、そのカウント値信号を受信する。ＩＦカウント回路４１からのカウント信号およびカウント終了信号は、マイコン１のＩ／Ｏ回路１２に供給され、そのＩ／Ｏ回路１２を介してクロックをＰＬＬ回路４に送出する。ＰＬＬ回路４は、ＩＦ周波数データをマイコン１に送出する。
【００１４】
上述した構成において、チューナ回路５が一定のスキャン時間経過後に、ＳＤ検出回路７によりＳＤ信号の有無を判定する。「有」の場合には、ＳＤ信号をマイコン１へ送出すると共に、ＩＦ周波数信号をＰＬＬ回路４のＩＦカウント回路４１に送出し、ＩＦカウント回路４１のカウント動作を開始させる。このカウント動作は、所定時間だけ行なわれ、マイコン１は、ＩＦカウント回路４１からのカウント値を受け、正常な選局状態にあるか否かを判定する。ＩＦカウント回路４１からのカウントデータが規定の周波数ならば、放送局を受信したものとみなし、選局表示（ＴＵＮＥＤ）素子を点灯表示する。
【００１５】
次に、図２のフローチャートを参照して、図１に示す受信機の「オートチューニング」動作を説明する。チューナ回路５は、ＰＬＬ回路４のＩＦカウント回路４１に周波数データを送出する（ステップＳ１１）。次に、一定時間（例えば１２５ｍＳ）経過時に、ＳＤ信号の有無を判定する（ステップＳ１２）。ＳＤ信号が「有」の場合には、ＰＬＬ回路４に対してＩＦカウント開始データを送出する（ステップＳ１３）。所定のＩＦカウント時間内にＩＦカウント回路４１でカウントされたＩＦカウント値データは、マイコン１に送出される。マイコン１は、受信したＩＦカウント値に基づいて選局が正常に行われたか否かを判定する（ステップＳ１４）。正常に選局されていると判定された場合（ＯＫ）には、オートチューニング動作を終了し、同調状態（ＴＵＮＥＤ）であることを表示器３に表示させる（ステップＳ１５）。
【００１６】
一方、上述したステップＳ１２で、ＳＤ信号が「無」であると判定された場合には、次のスキャン動作のための周波数をＵＰ／ＤＯＷＮ（増減）させる（ステップＳ１７）。その後に、上述したステップＳ１１の処理へ戻る。また、ステップＳ１４において、正常な選局完了（ＮＧ）と判断されれば、この判定が２回目の判定であるか否か判定される（ステップＳ１６）。２回目であると判定された場合には（ステップＳ１６：Ｙ）、上述したステップＳ１７へ移行して、次のスキャン動作を行う。一方、ステップＳ１６で２回目でなく１回目の判定であると判定された場合には（ステップＳ１６：Ｎ）、上述したステップＳ１３へ戻り、再びＩＦカウント動作を行う。
【００１７】
次に、図３のフローチャートを参照して、図１に示す受信機の「マニュアルチューニング」動作を説明する。チューナ回路５は、ＰＬＬ回路４のＩＦカウント回路４１に周波数データを送出する（ステップＳ２１）。その後に、マニュアルチューニングのため捕捉周波数を増減させるＵＰ／ＤＯＷＮキー２を押し続けているか否か判定する（ステップＳ２２）。押し続けていれば、ステップＳ２１の処理に戻る。押し続けていないと判定されれば、次の処理ステップＳ２３へ移行する。ステップＳ２２で、押し続けている状態のとき、並列処理によりＳＤ信号の有無を判定する（ステップＳ２７）。ＳＤ信号が「有」の場合には、表示器３に同調表示（ＴＵＮＥＤ）を点灯させる（ステップＳ２８）。ＳＤ信号が「無」の場合には、同調表示３を消灯させて上述したステップＳ２２へ移行する（ステップ２７）。
【００１８】
一方、上述したステップＳ２２で、ＵＰ／ＤＯＷＮキー２が押し続けられていない場合に、ＳＤ信号が数ｍＳ発生されると、ＰＬＬ回路４のＩＦカウント回路４１へＩＦカウント開始データを送出する（ステップＳ２３）。ＩＦカウント動作開始後に、マイコン１がカウントされたＩＦカウント値を受け、このＩＦカウント値に基づいて正常な選局状態にあるか否か判定する（ステップＳ２４）。このステップＳ２４で正常な選局状態にあると判定された場合には（ステップＳ２４：ＯＫ）、表示器３に同調表示（ＴＵＮＥＤ）して、マニュアルチューニング動作を終了する（ステップＳ２５）。正常な選局状態でないと判定された場合には（ステップＳ２４：ＮＧ）、表示器３に同調表示を行うことなくマニュアルチューニング動作を終了する（ステップＳ２６）。
【００１９】
以上の処理により、オートおよびマニュアル選局動作を行っている。選局動作終了後に、電波障害によりＳＤ信号が変化する場合を考慮して、一定時間間隔で監視を続けなければならない。この「ＳＤ信号モニタ」動作を、図４のフローチャートを参照して説明する。チューナ回路５のＳＤ信号データをマイコン１のＩ／Ｏ回路１２から、例えば数１０ｍＳ毎に入力する（ステップＳ３１）。そして、ＳＤ信号の有無を判定する（ステップＳ３２）。ＳＤ信号が「有」の場合には、「有」が連続か否か判定する（ステップＳ３３）。ＳＤ信号判定が「有」で、この「有」が連続でない（初回）とき（ステップＳ３３：Ｎ）、ＰＬＬ回路４のＩＦカウント回路４１にカウント開始データを送出する（ステップＳ３４）。ＩＦカウント動作（例えば８０ｍＳ）後に、マイコン１がカウントされたＩＦカウント値を受け、このカウント値に基づいて正常な選局状態にあるか否かを判定する（ステップＳ３５）。このステップＳ３５で、正常な選局状態と判定された場合には（ステップＳ３５：ＯＫ）、表示器３に同調表示（ＴＵＮＥＤ）させて（ステップＳ３６）、ＳＤ信号のモニタを終了する。ステップＳ３５で、正常な選局動作でないと判定された場合には（ステップＳ３５：ＮＧ）、表示器３に同調表示を行わず（ステップＳ３７）、ＳＤ信号のモニタを終了し、ステップＳ３１へ移行する。そして、数１０ｍＳ後にステップＳ３２の処理に戻る。
【００２０】
次に、ＳＤ信号が「有」で（ステップＳ３２：有）、連続の場合（ステップＳ３３：Ｙ）には、更に割り込み処理があるか否かを判定する（ステップＳ４１）。割り込み処理がなければ（ステップＳ４１：Ｎ）、そのままステップＳ３１の処理へ移行し、表示器３は同調表示（ＴＵＮＥＤ）を維持し続ける。このとき、割り込み処理があれば（ステップＳ４１：Ｙ）、割り込み処理を終了し（ステップＳ４２）た後にステップＳ３１の処理へ戻る。
【００２１】
また、ＳＤ信号が「無」の場合には（ステップＳ３２：無）、上述の如く、表示器３は同調表示を行わず（ステップＳ３７）、ステップＳ３１へ移行する。しかし、割り込み処理は、オート／マニュアルチューニング切替え、プリセット呼び出し、バンド切替等のキーが押された場合である。しかしながら、電波の状態によりチューナ回路５のＳＤ信号がチャタリングを起こしマイコン１のＩ／Ｏ回路１２に有無を繰り返すデータが入力されると、上述したＩＦカウント動作状態が続けられる。ＩＦカウント動作中は、出力ミュートが連続するので、出力ミュートが続き、出力が出なくなる。
【００２２】
また、繰り返し時間が長い場合には、出力ミュートがオン／オフし、出力が出なくなったり出たりする。チャタリングによりＳＤ信号が「無」になると、ステップＳ３１（ＳＤ信号入力）→ステップＳ３２（ＳＤ信号「有」）→ステップＳ３３（連続でない）→ステップＳ３４（ＩＦカウント開始）→ステップＳ３５（ＩＦデータ判定ＮＧ）→ステップＳ３７（同調表示なし）→ステップＳ３１（ＳＤ信号入力）となる。このサイクルを断ち切るための動作を図５のフローチャートを参照して説明する。
【００２３】
ステップＳ３５でＩＦカウントデータを読み込み、判定でＮＧとなるならば、ステップＳ３８へ移行し、ＮＧの回数を計数するようになる。ＮＧの回数が６回未満ならば、一定時間間隔でＩＦカウントデータを続けて読み込む。また、ＮＧの回数が６回を超えたならば、ステップＳ３９へ移行し、ＳＤ信号の判定をする。そして、既にステップＳ３５において正常な選局状態でないと判定されているため、表示器３での同調表示が行われずに（ステップＳ３７）、ＳＤ信号のモニタを終了する。
【００２４】
このような動作を行わせる場合には、図２に示すオートチューニング動作の処理手順の後および図３に示すマニュアルチューニング動作の処理手順の後に、実行させれば良い。即ち、ＩＦカウントをしない場合は、ＳＤ信号が「有」で割り込み処理のないときおよびＳＤ信号が「無」のとき。一方、ＩＦカウントをする場合は、ＳＤ信号が「有」で最初のときおよびＳＤ信号が「有」でＩＦカウントデータ判定ＮＧを計数したときである。最後の処理手順のとき、前の処理データは保持されているので、実行が終了するまで動作しない。しかし、ＳＤ信号のチャタリングが起きるのは連続して発生することの方が多いので、かなり時間が経過してから動作するのではなく、短時間のうちに実行されて処理が終了してしまう。
【００２５】
以上、本発明による受信機の好適実施形態の構成および動作を詳述した。しかし、斯かる実施形態は、本発明の単なる例示に過ぎず、何ら本発明を限定するものではない。本発明の要旨を逸脱することなく、特定用途に応じて種々の変形変更が可能であること、当業者には容易に理解できよう。
【００２６】
【発明の効果】
以上の説明から理解される如く、本発明の受信機によると、次の如き実用上の顕著な効果が得られる。即ち、希望放送局を選局した後に電波が弱くなり、ＳＤ信号のチャタリングのためＩＦカウント動作が続き、出力ミュートが解除されずに（無音状態が続き）、故障と誤解されるとき、ある一定時間後に出力ミュートが解除され放送を受信できる状態にすることが可能である。受信機のチューナ回路にＳＤ信号がヒステリシス特性を持たないシステムＩＣでも使用できるので、回路設計上の制約を受けることがなくなり、回路設計が容易になる。
【図面の簡単な説明】
【図１】本発明による受信機の好適実施形態の構成を示すブロック図である。
【図２】図１に示す受信機のオートチューニング動作を示すフローチャートである。
【図３】図１に示す受信機のマニュアルチューニング動作を示すフローチャートである。
【図４】図１に示す受信機のＳＤ信号モニタ動作を示すフローチャートである。
【図５】図１に示す受信機においてチャタリングの影響を断ち切るためのＳＤ信号モニタ動作を示すフローチャートである。
【符号の説明】
１    マイコン
１１  ＲＯＭ
１２  Ｉ／Ｏ回路
２    キー
３    表示器
４    ＰＬＬ回路
４１  ＩＦカウント回路
５    チューナ回路
６    アンテナ
【図１】
0003806615.tif 000002
【図２】
0003806615.tif 000003
【図３】
0003806615.tif 000004
【図４】
0003806615.tif 000005
【図５】
0003806615.tif 000006